(57)【要約】【課題】通信障害が発生した場合に信号光伝送をバックアップ回線へ切り替えることができる光送受信器および光通信システムを提供する。【解決手段】通信障害が発生した場合、第１光送受信器１１０内の光受信部１１２には、第２光送受信器１２０内の光送信部１２１より信号光が到達しない。したがって、光受信部１１２が受信した信号光のパワーが閾値以下であると検出部１１３により検出され、この検出結果に従って、光スイッチ１１５は第１端子１１５１と第３端子１１５３との間の光路に光を通過させるように設定される。そして、第１光送受信器１１０の光送信部１１１より出力された信号光は、光方向性結合器１１４の第１ポート１１４１に入力して第３ポート１１４３より出力され、光スイッチ１１５の第１端子１１５１に入力して第３端子１１５３より出力され、光受信部１１２に到達して受信される。【選択図】　図１
2004015432.tif 000002
【特許請求の範囲】
【請求項１】
光ファイバ伝送路に第１信号光を送出するとともに、その光ファイバ伝送路を経て到達した第２信号光を受信する光送受信器であって、
前記第１信号光を出力する光送信部と、
前記第１信号光または前記第２信号光を受信する光受信部と、
前記光受信部が受信した信号光のパワーを検出する検出部と、
前記検出部による検出結果に基づいて、前記第２信号光のパワーが閾値を超える場合に前記第２信号光を前記光受信部へ導き、前記第２信号光のパワーが前記閾値以下である場合に前記第１信号光を前記光受信部へ導く切替手段と、
を備えることを特徴とする光送受信器。
【請求項２】
前記切替手段は、
第１ポート，第２ポート，第３ポートおよび第４ポートを有し、前記第１ポートが前記光送信部と光学的に接続され、前記第２ポートが前記光ファイバ伝送路と光学的に接続され、前記第１ポートに入力した光を分岐して前記第２ポートおよび前記第３ポートそれぞれより出力し、前記第２ポートに入力した光を分岐して前記第１ポートおよび前記第４ポートそれぞれより出力する光方向性結合器と、
前記光方向性結合器の前記第３ポートに光学的に接続された第１端子、前記光方向性結合器の前記第４ポートに光学的に接続された第２端子、および、前記光受信部に光学的に接続された第３端子を有し、前記第１端子および前記第２端子のうち何れか一方の端子と前記第３端子との間の光路に光を通過させる光スイッチと、
を含み、
前記第２信号光のパワーが前記閾値を超える場合に、前記光スイッチの前記第２端子と前記第３端子との間の光路に前記第２信号光を通過させて、前記第２信号光を前記光受信部へ導き、
前記第２信号光のパワーが前記閾値以下である場合に、前記光スイッチの前記第１端子と前記第３端子との間の光路に前記第１信号光を通過させて、前記第１信号光を前記光受信部へ導く、
ことを特徴とする請求項１記載の光送受信器。
【請求項３】
前記光送信部は前記第１信号光の波長が可変であり、
前記切替手段は、
第１ポート，第２ポート，第３ポートおよび第４ポートを有し、前記第１ポートが前記光送信部と光学的に接続され、前記第２ポートが前記光ファイバ伝送路と光学的に接続され、前記第４ポートが前記光受信部と光学的に接続され、前記第１ポートに入力した光を分岐して前記第２ポートおよび前記第３ポートそれぞれより出力し、前記第２ポートに入力した光を分岐して前記第１ポートおよび前記第４ポートそれぞれより出力し、前記第３ポートに入力した光を分岐して前記第１ポートおよび前記第４ポートそれぞれより出力する光方向性結合器と、
前記光方向性結合器の前記第３ポートより出力された光のうち特定波長の光を選択的に反射して、その反射した光を前記第３ポートに入力させる光フィルタと、
を含み、
前記第２信号光のパワーが前記閾値を超える場合に、前記光送信部が出力する前記第１信号光の波長を前記特定波長以外の波長とし、前記第２信号光を前記光受信部へ導き、
前記第２信号光のパワーが前記閾値以下である場合に、前記光送信部が出力する前記第１信号光の波長を前記特定波長とし、前記光フィルタにより反射された前記第１信号光を前記光受信部へ導く、
ことを特徴とする請求項１記載の光送受信器。
【請求項４】
請求項１記載の光送受信器である第１光送受信器および第２光送受信器と、
前記第１光送受信器と前記第２光送受信器との間に設けられた光ファイバ伝送路と、
を備え、
前記光ファイバ伝送路を介して前記第１光送受信器と前記第２光送受信器との間で双方向光通信を行う、
ことを特徴とする光通信システム。
【発明の詳細な説明】
【０００１】
【発明の属する技術分野】
本発明は、光ファイバ伝送路を介して双方向光通信を行うことができる光通信システム、および、この光通信システムにおいて用いられる光送受信器に関するものである。
【０００２】
【従来の技術】
光通信システムは、信号光を光ファイバ伝送路に伝送することで大容量の情報を高速に送受信することができるものである。光通信システムは更なる大容量化が要求されており、例えば、多波長の信号光を多重化して光ファイバ伝送路に伝送する波長分割多重（ＷＤＭ：　Ｗａｖｅｌｅｎｇｔｈ　Ｄｉｖｉｓｉｏｎ　Ｍｕｌｔｉｐｌｅｘｉｎｇ）光通信が行われている。ＷＤＭ光通信システムは、大容量の情報を高速に送受信することができるものの、装置規模が大きく設備コストが高いので、通信需要が大きい通信経路で好適に用いられる。
【０００３】
一方、通信需要が小さい通信経路では１芯の光ファイバ伝送路を用いた双方向光通信を行うのが好適であり、この場合には装置規模が小さく設備コストが安価である。このような１芯双方向光通信システムは、例えば特開２０００−２２４１１７号公報に開示されている。この公報に開示された光通信システムでは、光送信部、光受信部および分離素子を備える光送受信器が用いられる。この光送受信器では、光送信部より出力された信号光は分離素子を経て光ファイバ伝送路へ送出されるとともに、光ファイバ伝送路を伝搬してきて到達した信号光は分離素子を経て光受信部により受信される。１芯双方向光通信システムは、このような光送受信器が光ファイバ伝送路の両端それぞれに設けられることにより、１芯の光ファイバ伝送路を用いて双方向光通信を行うことができる。
【０００４】
【発明が解決しようとする課題】
しかし、上記公報に開示された光通信システムは、通信障害が発生した場合に、その旨を検知する手段を有しておらず、また、信号光伝送をバックアップ回線へ切り替える手段をも有しておらず、それ故、信頼性に欠ける。したがって、高い信頼性が要求される光通信システム、例えば、ＳＯＮＥＴ／ＳＤＨ方式による光通信システムには充分な対応ができなかった。
【０００５】
本発明は、上記問題点を解消する為になされたものであり、通信障害が発生した場合に信号光伝送をバックアップ回線へ切り替えることができる光送受信器および光通信システムを提供することを目的とする。
【０００６】
【課題を解決するための手段】
本発明に係る光送受信器は、光ファイバ伝送路に第１信号光を送出するとともに、その光ファイバ伝送路を経て到達した第２信号光を受信する光送受信器であって、（１）第１信号光を出力する光送信部と、（２）第１信号光または第２信号光を受信する光受信部と、（３）光受信部が受信した信号光のパワーを検出する検出部と、（４）検出部による検出結果に基づいて、第２信号光のパワーが閾値を超える場合に第２信号光を光受信部へ導き、第２信号光のパワーが閾値以下である場合に第１信号光を光受信部へ導く切替手段と、を備えることを特徴とする。
【０００７】
また、本発明に係る光通信システムは、上記の本発明に係る光送受信器である第１光送受信器および第２光送受信器と、第１光送受信器と第２光送受信器との間に設けられた光ファイバ伝送路とを備え、光ファイバ伝送路を介して第１光送受信器と第２光送受信器との間で双方向光通信を行うことを特徴とする。
【０００８】
本発明によれば、正常動作時には、第１光送受信器の光送信部より出力された信号光は、光ファイバ伝送路を伝搬した後に、第２光送受信器の光受信部により受信され、また、第２光送受信器の光送信部より出力された信号光は、光ファイバ伝送路を伝搬した後に、第１光送受信器の光受信部により受信される。一方、通信障害発生時には、各々の光送受信器内において、光受信部が受信した信号光のパワーが閾値以下であると検出部により検出されて、切替手段により、光送信部から出力された信号光が光受信部へ導かれる。
【０００９】
本発明に係る光送受信器に含まれる切替手段は、（１）第１ポート，第２ポート，第３ポートおよび第４ポートを有し、第１ポートが光送信部と光学的に接続され、第２ポートが光ファイバ伝送路と光学的に接続され、第１ポートに入力した光を分岐して第２ポートおよび第３ポートそれぞれより出力し、第２ポートに入力した光を分岐して第１ポートおよび第４ポートそれぞれより出力する光方向性結合器と、（２）光方向性結合器の第３ポートに光学的に接続された第１端子、光方向性結合器の第４ポートに光学的に接続された第２端子、および、光受信部に光学的に接続された第３端子を有し、第１端子および第２端子のうち何れか一方の端子と第３端子との間の光路に光を通過させる光スイッチと、を含むのが好適である。そして、この切替手段は、（１）第２信号光のパワーが閾値を超える場合に、光スイッチの第２端子と第３端子との間の光路に第２信号光を通過させて、第２信号光を光受信部へ導き、（２）第２信号光のパワーが閾値以下である場合に、光スイッチの第１端子と第３端子との間の光路に第１信号光を通過させて、第１信号光を光受信部へ導くのが好適である。
【００１０】
また、本発明に係る光送受信器に含まれる光送信部は第１信号光の波長が可変であるのが好適である。　本発明に係る光送受信器に含まれる切替手段は、（１）第１ポート，第２ポート，第３ポートおよび第４ポートを有し、第１ポートが光送信部と光学的に接続され、第２ポートが光ファイバ伝送路と光学的に接続され、第４ポートが光受信部と光学的に接続され、第１ポートに入力した光を分岐して第２ポートおよび第３ポートそれぞれより出力し、第２ポートに入力した光を分岐して第１ポートおよび第４ポートそれぞれより出力し、第３ポートに入力した光を分岐して第１ポートおよび第４ポートそれぞれより出力する光方向性結合器と、（２）光方向性結合器の第３ポートより出力された光のうち特定波長の光を選択的に反射して、その反射した光を第３ポートに入力させる光フィルタと、を含むのが好適である。そして、この切替手段は、（１）第２信号光のパワーが閾値を超える場合に、光送信部が出力する第１信号光の波長を特定波長以外の波長とし、第２信号光を光受信部へ導き、（２）第２信号光のパワーが閾値以下である場合に、光送信部が出力する第１信号光の波長を特定波長とし、光フィルタにより反射された第１信号光を光受信部へ導くのが好適である。
【００１１】
【発明の実施の形態】
以下、添付図面を参照して本発明の実施の形態を詳細に説明する。なお、図面の説明において同一の要素には同一の符号を付し、重複する説明を省略する。
【００１２】
（第１実施形態）
先ず、本発明に係る光送受信器および光通信システムの第１実施形態について説明する。図１は、第１実施形態に係る光通信システム１および光送受信器１１０，１２０の構成図である。この図に示される光通信システム１は、第１光送受信器１１０、第２光送受信器１２０および光ファイバ伝送路１３０を備える。第１光送受信器１１０は、光送信部１１１、光受信部１１２、検出部１１３、光方向性結合器１１４および光スイッチ１１５を備える。また、第２光送受信器１２０は、光送信部１２１、光受信部１２２、検出部１２３、光方向性結合器１２４および光スイッチ１２５を備える。光ファイバ伝送路１３０は、第１光送受信器１１０と第２光送受信器１２０との間に敷設されている。
【００１３】
第１光送受信器１１０内の光方向性結合器１１４は、第１ポート１１４１，第２ポート１１４２，第３ポート１１４３および第４ポート１１４４を有している。第１ポート１１４１は、光送信部１１１と光学的に接続されている。第２ポート１１４２は、光ファイバ伝送路１３０と光学的に接続されている。光方向性結合器１１４は、第１ポート１１４１に入力した光を分岐して第２ポート１１４２および第３ポート１１４３それぞれより出力する。また、光方向性結合器１１４は、第２ポート１１４２に入力した光を分岐して第１ポート１１４１および第４ポート１１４４それぞれより出力する。この光方向性結合器１１４として、例えば、並列配置された２本の光ファイバが溶融延伸されて作成される光ファイバカプラが好適に用いられる。
【００１４】
第１光送受信器１１０内の光スイッチ１１５は、第１端子１１５１，第２端子１１５２および第３端子１１５３を有している。第１端子１１５１は、光方向性結合器１１４の第３ポート１１４３に光学的に接続されている。第２端子１１５２は、光方向性結合器１１４の第４ポート１１４４に光学的に接続されている。第３端子１１５３は、光受信部１１２に光学的に接続されている。光スイッチ１１５は、第１端子１１５１および第２端子１１５２のうち何れか一方の端子と第３端子１１５３との間の光路に光を通過させる。
【００１５】
第１光送受信器１１０内の光送信部１１１は、第１光送受信器１１０から第２光送受信器１２０へ伝送すべき信号光を出力する。光受信部１１２は、光スイッチ１１５の第３端子１１５３より到達した信号光を受信する。検出部１１３は、光受信部１１２が受信した信号光のパワーを検出し、この検出結果に基づいてスイッチ１１５の動作を制御する。第１光送受信器１１０内の光方向性結合器１１４および光スイッチ１１５は、光受信部１１２へ導く信号光を切り替える切替手段を構成している。
【００１６】
第２光送受信器１２０内の光方向性結合器１２４は、第１ポート１２４１，第２ポート１２４２，第３ポート１２４３および第４ポート１２４４を有している。第１ポート１２４１は、光送信部１２１と光学的に接続されている。第２ポート１２４２は、光ファイバ伝送路１３０と光学的に接続されている。光方向性結合器１２４は、第１ポート１２４１に入力した光を分岐して第２ポート１２４２および第３ポート１２４３それぞれより出力する。また、光方向性結合器１２４は、第２ポート１２４２に入力した光を分岐して第１ポート１２４１および第４ポート１２４４それぞれより出力する。この光方向性結合器１２４として、例えば、並列配置された２本の光ファイバが溶融延伸されて作成される光ファイバカプラが好適に用いられる。
【００１７】
第２光送受信器１２０内の光スイッチ１２５は、第１端子１２５１，第２端子１２５２および第３端子１２５３を有している。第１端子１２５１は、光方向性結合器１２４の第３ポート１２４３に光学的に接続されている。第２端子１２５２は、光方向性結合器１２４の第４ポート１２４４に光学的に接続されている。第３端子１２５３は、光受信部１２２に光学的に接続されている。光スイッチ１２５は、第１端子１２５１および第２端子１２５２のうち何れか一方の端子と第３端子１２５３との間の光路に光を通過させる。
【００１８】
第２光送受信器１２０内の光送信部１２１は、第２光送受信器１２０から第１光送受信器１１０へ伝送すべき信号光を出力する。光受信部１２２は、光スイッチ１２５の第３端子１２５３より到達した信号光を受信する。検出部１２３は、光受信部１２２が受信した信号光のパワーを検出し、この検出結果に基づいてスイッチ１２５の動作を制御する。第２光送受信器１２０内の光方向性結合器１２４および光スイッチ１２５は、光受信部１２２へ導く信号光を切り替える切替手段を構成している。
【００１９】
次に、第１実施形態に係る光通信システム１の動作について説明する。正常動作時には、第１光送受信器１１０の光スイッチ１１５は、第２端子１１５２と第３端子１１５３との間の光路に光を通過させる。また、第２光送受信器１２０の光スイッチ１２５は、第２端子１２５２と第３端子１２５３との間の光路に光を通過させる。このとき、第１光送受信器１１０内の光送信部１１１より出力された信号光は、光方向性結合器１１４の第１ポート１１４１に入力して第２ポート１１４２より出力され、光ファイバ伝送路１３０を伝搬し、第２光送受信器１２０内の光方向性結合器１２４の第２ポート１２４２に入力して第４ポート１２４４より出力され、光スイッチ１２５の第２端子１２５２に入力して第３端子１２５３より出力され、光受信部１２２に到達して受信される。また、第２光送受信器１２０内の光送信部１２１より出力された信号光は、光方向性結合器１２４の第１ポート１２４１に入力して第２ポート１２４２より出力され、光ファイバ伝送路１３０を伝搬し、第１光送受信器１１０内の光方向性結合器１１４の第２ポート１１４２に入力して第４ポート１１４４より出力され、光スイッチ１１５の第２端子１１５２に入力して第３端子１１５３より出力され、光受信部１１２に到達して受信される。
【００２０】
このように、正常動作時には、第１光送受信器１１０内の光送信部１１１より出力された信号光は、光ファイバ伝送路１３０を伝搬した後、第２光送受信器１２０内の光受信部１２２により受信される。また、第２光送受信器１２０内の光送信部１２１より出力された信号光は、光ファイバ伝送路１３０を伝搬した後、第１光送受信器１１０内の光受信部１１２により受信される。すなわち、この光通信システム１は、１芯双方向光通信を行うことができる。
【００２１】
通信障害が発生した場合（例えば、光ファイバ伝送路１３０が断線した場合）には、光通信システム１は以下のように動作する。第１光送受信器１１０内の光受信部１１２には、第２光送受信器１２０内の光送信部１２１より信号光が到達しない。したがって、光受信部１１２が受信した信号光のパワーが閾値以下であると検出部１１３により検出され、この検出結果に従って、光スイッチ１１５は第１端子１１５１と第３端子１１５３との間の光路に光を通過させるように設定される。そして、第１光送受信器１１０の光送信部１１１より出力された信号光は、光方向性結合器１１４の第１ポート１１４１に入力して第３ポート１１４３より出力され、光スイッチ１１５の第１端子１１５１に入力して第３端子１１５３より出力され、光受信部１１２に到達して受信される。
【００２２】
同様に、第２光送受信器１２０内の光受信部１２２には、第１光送受信器１１０内の光送信部１１１より信号光が到達しない。したがって、光受信部１２２が受信した信号光のパワーが閾値以下であると検出部１２３により検出され、この検出結果に従って、光スイッチ１２５は第１端子１２５１と第３端子１２５３との間の光路に光を通過させるように設定される。そして、第２光送受信器１２０の光送信部１２１より出力された信号光は、光方向性結合器１２４の第１ポート１２４１に入力して第３ポート１２４３より出力され、光スイッチ１２５の第１端子１２５１に入力して第３端子１２５３より出力され、光受信部１２２に到達して受信される。
【００２３】
このように、通信障害発生時には、第１光送受信器１１０内の光送信部１１１より出力された信号光は、光ファイバ伝送路１３０へ送出されることなく、光受信部１１２により受信される。また、第２光送受信器１２０内の光送信部１２１より出力された信号光は、光ファイバ伝送路１３０へ送出されることなく、光受信部１２２により受信される。すなわち、この光通信システム１は、通信障害発生時には、各々の光送受信器内で信号光を折り返すことができ、それ故、信号光伝送をバックアップ回線へ切り替えることができるので、信頼性が優れたものとなり、高品質なＳＯＮＥＴ／ＳＤＨ信号伝送も可能である。
【００２４】
（第２実施形態）
次に、本発明に係る光送受信器および光通信システムの第２実施形態について説明する。図２は、第２実施形態に係る光通信システム２および光送受信器２１０，２２０の構成図である。この図に示される光通信システム２は、第１光送受信器２１０、第２光送受信器２２０および光ファイバ伝送路２３０を備える。第１光送受信器２１０は、光送信部２１１、光受信部２１２、検出部２１３、光方向性結合器２１４および光フィルタ２１６を備える。また、第２光送受信器２２０は、光送信部２２１、光受信部２２２、検出部２２３、光方向性結合器２２４および光フィルタ２２６を備える。光ファイバ伝送路２３０は、第１光送受信器２１０と第２光送受信器２２０との間に敷設されている。
【００２５】
第１光送受信器２１０内の光方向性結合器２１４は、第１ポート２１４１，第２ポート２１４２，第３ポート２１４３および第４ポート２１４４を有している。第２ポート２１４１は、光送信部２１１と光学的に接続されている。第２ポート２１４２は、光ファイバ伝送路２３０と光学的に接続されている。光方向性結合器２１４は、第１ポート２１４１に入力した光を分岐して第２ポート２１４２および第３ポート２１４３それぞれより出力する。光方向性結合器２１４は、第２ポート２１４２に入力した光を分岐して第１ポート２１４１および第４ポート２１４４それぞれより出力する。また、光方向性結合器２１４は、第３ポート２１４４に入力した光を分岐して第１ポート２１４１および第４ポート２１４４それぞれより出力する。この光方向性結合器２１４として、例えば、並列配置された２本の光ファイバが溶融延伸されて作成される光ファイバカプラが好適に用いられる。
【００２６】
第１光送受信器２１０内の光フィルタ２１６は、光方向性結合器２１４の第３ポート２１４３に光学的に接続されている。光フィルタ２１６は、光方向性結合器２１４の第３ポート２１４３より出力された光のうち特定波長の光を選択的に反射して、その反射した光を第３ポート２１４３に入力させる。この光フィルタ２１６として、例えば、光ファイバの光導波領域に長手方向の一定範囲に亘って形成された屈折率変調よりなるブラッグ型のファイバグレーティングが好適に用いられる。
【００２７】
第１光送受信器２１０内の光送信部２１１は、第１光送受信器２１０から第２光送受信器２２０へ伝送すべき信号光を出力する。この光送信部２１１は、出力する信号光の波長が可変のものである。例えば、光送信部２１１に含まれるレーザダイオードの温度等を調整することにより、出力信号光の波長を変更することができる。光受信部２１２は、光方向性結合器２１４の第４ポート２１４４より到達した信号光を受信する。検出部２１３は、光受信部２１２が受信した信号光のパワーを検出し、この検出結果に基づいて、光送信部２１１が出力する信号光の波長を制御する。第１光送受信器２１０内の光方向性結合器２１４および光フィルタ２１６は、光受信部２１２へ導く信号光を切り替える切替手段を構成している。
【００２８】
第２光送受信器２２０内の光方向性結合器２２４は、第１ポート２２４１，第２ポート２２４２，第３ポート２２４３および第４ポート２２４４を有している。第２ポート２２４１は、光送信部２２１と光学的に接続されている。第２ポート２２４２は、光ファイバ伝送路２３０と光学的に接続されている。光方向性結合器２２４は、第１ポート２２４１に入力した光を分岐して第２ポート２２４２および第３ポート２２４３それぞれより出力する。光方向性結合器２２４は、第２ポート２２４２に入力した光を分岐して第１ポート２２４１および第４ポート２２４４それぞれより出力する。また、光方向性結合器２２４は、第３ポート２２４４に入力した光を分岐して第１ポート２２４１および第４ポート２２４４それぞれより出力する。この光方向性結合器２２４として、例えば、並列配置された２本の光ファイバが溶融延伸されて作成される光ファイバカプラが好適に用いられる。
【００２９】
第２光送受信器２２０内の光フィルタ２２６は、光方向性結合器２２４の第３ポート２２４３に光学的に接続されている。光フィルタ２２６は、光方向性結合器２２４の第３ポート２２４３より出力された光のうち特定波長の光を選択的に反射して、その反射した光を第３ポート２２４３に入力させる。この光フィルタ２２６として、例えば、光ファイバの光導波領域に長手方向の一定範囲に亘って形成された屈折率変調よりなるブラッグ型のファイバグレーティングが好適に用いられる。
【００３０】
第２光送受信器２２０内の光送信部２２１は、第２光送受信器２２０から第１光送受信器２１０へ伝送すべき信号光を出力する。この光送信部２２１は、出力する信号光の波長が可変のものである。例えば、光送信部２２１に含まれるレーザダイオードの温度を調整することにより、出力信号光の波長を変更することができる。光受信部２２２は、光方向性結合器２２４の第４ポート２２４４より到達した信号光を受信する。検出部２２３は、光受信部２２２が受信した信号光のパワーを検出し、この検出結果に基づいて、光送信部２２１が出力する信号光の波長を制御する。第２光送受信器２２０内の光方向性結合器２２４および光フィルタ２２６は、光受信部２２２へ導く信号光を切り替える切替手段を構成している。
【００３１】
次に、第２実施形態に係る光通信システム２の動作について説明する。正常動作時には、第１光送受信器２１０の光送信部２１１より出力される信号光の波長は、光フィルタ２１６が反射する特定波長以外の波長とされる。また、第２光送受信器２２０の光送信部２２１より出力される信号光の波長は、光フィルタ２２６が反射する特定波長以外の波長とされる。このとき、第１光送受信器２１０内の光送信部２１１より出力された信号光は、光方向性結合器２１４の第１ポート２１４１に入力して第２ポート２１４２より出力され、光ファイバ伝送路２３０を伝搬し、第２光送受信器２２０内の光方向性結合器２２４の第２ポート２２４２に入力して第４ポート２２４４より出力され、光受信部２２２に到達して受信される。また、第２光送受信器２２０内の光送信部２２１より出力された信号光は、光方向性結合器２２４の第１ポート２２４１に入力して第２ポート２２４２より出力され、光ファイバ伝送路２３０を伝搬し、第１光送受信器２１０内の光方向性結合器２１４の第２ポート２１４２に入力して第４ポート２１４４より出力され、光受信部２１２に到達して受信される。なお、第１光送受信器２１０内の光送信部２１１より出力され光方向性結合器２１４の第１ポート２１４１に入力して第３ポート２１４３より出力された光は、光フィルタ２１６により反射されることはない。第２光送受信器２２０内の光送信部２２１より出力され光方向性結合器２２４の第１ポート２２４１に入力して第３ポート２２４３より出力された光は、光フィルタ２２６により反射されることはない。
【００３２】
このように、正常動作時には、第１光送受信器２１０内の光送信部２１１より出力された信号光は、光ファイバ伝送路２３０を伝搬した後、第２光送受信器２２０内の光受信部２２２により受信される。また、第２光送受信器２２０内の光送信部２２１より出力された信号光は、光ファイバ伝送路２３０を伝搬した後、第１光送受信器２１０内の光受信部２１２により受信される。すなわち、この光通信システム２は、１芯双方向光通信を行うことができる。
【００３３】
通信障害が発生した場合（例えば、光ファイバ伝送路２３０が断線した場合）には、光通信システム２は以下のように動作する。第１光送受信器２１０内の光受信部２１２には、第２光送受信器２２０内の光送信部２２１より信号光が到達しない。したがって、光受信部２１２が受信した信号光のパワーが閾値以下であると検出部２１３により検出され、この検出結果に従って、光送信部２１１より出力される信号光の波長は、光フィルタ２１６が反射する特定波長とされる。そして、第１光送受信器２１０の光送信部２１１より出力された信号光は、光方向性結合器２１４の第１ポート２１４１に入力して第３ポート２１４３より出力され、光フィルタ２１６により反射され、光方向性結合器２１４の第３ポート２１４３に入力して第４ポート２１４４より出力され、光受信部２１２に到達して受信される。
【００３４】
同様に、第２光送受信器２２０内の光受信部２２２には、第１光送受信器２１０内の光送信部２１１より信号光が到達しない。したがって、光受信部２２２が受信した信号光のパワーが閾値以下であると検出部２２３により検出され、この検出結果に従って、光送信部２２１より出力される信号光の波長は、光フィルタ２２６が反射する特定波長とされる。そして、第２光送受信器２２０の光送信部２２１より出力された信号光は、光方向性結合器２２４の第１ポート２２４１に入力して第３ポート２２４３より出力され、光フィルタ２２６により反射され、光方向性結合器２２４の第３ポート２２４３に入力して第４ポート２２４４より出力され、光受信部２２２に到達して受信される。
【００３５】
このように、通信障害発生時には、第１光送受信器２１０内の光送信部２１１より出力された信号光は、光受信部２１２により受信される。また、第２光送受信器２２０内の光送信部２２１より出力された信号光は、光受信部２２２により受信される。すなわち、この光通信システム２は、通信障害発生時には、各々の光送受信器内で信号光を折り返すことができ、それ故、信号光伝送をバックアップ回線へ切り替えることができるので、信頼性が優れたものとなり、高品質なＳＯＮＥＴ／ＳＤＨ信号伝送も可能である。
【００３６】
【発明の効果】
以上、詳細に説明したとおり、本発明によれば、正常動作時には、第１光送受信器の光送信部より出力された信号光は、光ファイバ伝送路を伝搬した後に、第２光送受信器の光受信部により受信され、また、第２光送受信器の光送信部より出力された信号光は、光ファイバ伝送路を伝搬した後に、第１光送受信器の光受信部により受信される。一方、通信障害発生時には、各々の光送受信器内において、光受信部が受信した信号光のパワーが閾値以下であると検出部により検出されて、切替手段により、光送信部から出力された信号光が光受信部へ導かれる。したがって、１芯双方向光通信が可能であり、また、通信障害発生時には、各々の光送受信器内で信号光を折り返すことができ、それ故、信号光伝送をバックアップ回線へ切り替えることができるので、信頼性が優れたものとなる。また、本願発明によれば、１芯双方向光通信が可能であるため、信頼性が優れたものとなると同時に、簡易な構成となる光通信システムを提供し得る。
【図面の簡単な説明】
【図１】第１実施形態に係る光通信システム１および光送受信器１１０，１２０の構成図である。
【図２】第２実施形態に係る光通信システム２および光送受信器２１０，２２０の構成図である。
【符号の説明】
１，２…光通信システム、１１０…第１光送受信器、１１１…光送信部、１１２…光受信部、１１３…検出部、１１４…光方向性結合器、１１５…光スイッチ、１２０…第２光送受信器、１２１…光送信部、１２２…光受信部、１２３…検出部、１２４…光方向性結合器、１２５…光スイッチ、１３０…光ファイバ伝送路、２１０…第１光送受信器、２１１…光送信部、２１２…光受信部、２１３…検出部、２１４…光方向性結合器、２１６…光フィルタ、２２０…第２光送受信器、２２１…光送信部、２２２…光受信部、２２３…検出部、２２４…光方向性結合器、２２６…光フィルタ、２３０…光ファイバ伝送路。
【図１】
2004015432.tif 000003
【図２】
2004015432.tif 000004